(57)【要約】【課題】外気導入孔から取り込まれた液体が、注出栓の奥側或いは外層体と内層体との相互間に流れにくくなり、また、コスト削減も図ることができる二重容器を提案する。【解決手段】本発明の二重容器１は、外層体１０の内側にて減容変形する内層体２０と、内層体２０の上部に設けた中栓３０と、注出開口３４に設けた内容物用逆止弁４０と、口部周壁１１及び内周壁３６との相互間で通気路Ｔ１を形成する外周壁５１を有し、頂壁５３に、注出筒５４及び外気導入孔５６を備える注出栓５０と、を備え、内容物用逆止弁４０は、内周壁３６との相互間に外気導入孔５６に通じる内部空間Ｎを区画する環状壁４１を有し、中栓３０は、内周壁３６の上面と頂壁５３の下面との相互間に内部空間Ｎと通気路Ｔ１とをつなぐ接続路Ｔ２を有し、通気路Ｔ１及び接続路Ｔ２の少なくとも一方に、空気の流れを制限する絞りを設けたことを特徴とする。【選択図】図１
2015027885.tif 000002
【特許請求の範囲】
【請求項１】
口部周壁に貫通孔を有するとともに容器の外殻を形成する外層体と、
内容物の充填空間に通じる上部開口を有するとともに該外層体の内側に収められ該貫通孔から該外層体との相互間に導入される空気により減容変形する内層体と、
該上部開口を覆う天壁に該充填空間につながる注出開口を有するとともに、該天壁の縁部から起立する内周壁を備える中栓と、
該注出開口を閉鎖する一方、該外層体への押圧に伴う該充填空間への加圧にて該注出開口が開放する内容物用逆止弁と、
該口部周壁に係合保持されるとともに該口部周壁及び該内周壁との相互間で該貫通孔に連通する通気路を形成する外周壁を有し、該外周壁に連結する頂壁に、該注出開口からの内容物を注出する注出筒、及び該通気路に通じる外気導入孔を備える注出栓と、を備える二重容器であって、
前記内容物用逆止弁は、前記注出筒と前記外気導入孔との間に設けられるとともに、前記天壁と前記頂壁との間に延在して前記内周壁との相互間に該外気導入孔に通じる内部空間を区画する環状壁を有し、
前記中栓は、前記内周壁の上面と前記頂壁の下面との相互間に前記内部空間と前記通気路とをつなぐ接続路を有し、
該通気路及び接続路の少なくとも一方に、空気の流れを制限する絞りを設けた二重容器。
【請求項２】
前記絞りは、前記内周壁の外周面及び前記外周壁の内周面の少なくとも一方に設けた細溝である請求項１に記載の二重容器。
【請求項３】
前記絞りは、前記内周壁の上面及び前記頂壁の下面の少なくとも一方に設けた細溝である請求項１又は２に記載の二重容器。
【請求項４】
前記内周壁及び前記外周壁の一方は、他方に向けて突出する螺旋状の凸部を有する請求項１〜３の何れかに記載の二重容器。
【請求項５】
前記注出栓は、前記外気導入孔と前記内周壁との間において前記頂壁の下面から突出する突起を有する請求項１〜４の何れかに記載の二重容器。
【請求項６】
前記中栓は、前記充填空間に向けて延在する筒状壁を有するとともに、該筒状壁内を外層体の姿勢変更に応じて移動する球状体を有する請求項１〜５の何れかに記載の二重容器。
【請求項７】
口部周壁に貫通孔を有するとともに容器の外殻を形成する外層体と、
内容物の充填空間に通じる上部開口を有するとともに該外層体の内側に収められ該貫通孔から該外層体との相互間に導入される空気により減容変形する内層体と、
該上部開口を覆う天壁から前記充填空間に向けて垂下するとともに該充填空間につながる注出開口を形成する筒体、該筒体内に移動可能に設けられ該筒体の下部に当接して該充填空間を閉鎖する球状体、及び該天壁の縁部から起立する内周壁を備える中栓と、
該口部周壁に係合保持されるとともに該口部周壁及び該内周壁との相互間で該貫通孔に連通する通気路を形成する外周壁を有し、該外周壁に連結する頂壁に、該注出開口からの内容物を注出する注出筒、及び該通気路に通じる外気導入孔を備える注出栓と、を備える二重容器であって、
前記中栓は、前記注出筒と前記外気導入孔との間で、前記天壁から起立して前記頂壁に嵌合し、前記内周壁との相互間に該外気導入孔に通じる内部空間を区画する筒壁を有するとともに、
前記内周壁の上面と前記頂壁の下面との相互間に前記内部空間と前記通気路とをつなぐ接続路を有し、
該通気路及び接続路の少なくとも一方に、空気の流れを制限する絞りを設けた二重容器。
【請求項８】
前記注出栓は、前記頂壁の下面から前記筒体の内側に向けて突出し、前記球状体の前記天壁側へ移動を制限する移動制限部を有する、請求項７に記載の二重容器。
【発明の詳細な説明】
【技術分野】
【０００１】
本発明は、容器の外殻を形成する外層体と、外層体の内側に収められる減容変形自在な内層体とを備え、内容物の吐出に伴って内層体のみを減容させる二重容器に関するものであり、特に、外層体の胴部を押圧して内容物を注出させるスクイズタイプの二重容器に関する。
【背景技術】
【０００２】
化粧水などの化粧料や、シャンプーやリンス或いは液体石鹸、また食品調味料などを収納する容器としては、容器の外殻を形成するとともに内外に通じる貫通孔を設けた外層体と、外層体の内側に収められ減容変形自在な内層体と、外層体の口部に装着されるとともに外層体の貫通孔へつながる外気導入孔を有する注出栓を備え、注出栓から内容物を注出させるに伴い内層体のみを減容させるようにした二重容器（デラミ容器とも言う）が知られている。このような二重容器として、例えば特許文献１には、外層体の胴部を押圧することで、外層体と内層体との間の空気を介して内層体を押圧して内容物を注出させる、スクイズタイプの容器が示されている。
【先行技術文献】
【特許文献】
【０００３】
【特許文献１】特開２０１１−３１９２１号公報
【発明の概要】
【発明が解決しようとする課題】
【０００４】
ところで、このような二重容器においては、注出後の外層体が復元する際に、外気導入孔付近に内容物等の液体が付着していると、この液体が外気導入孔から空気と一緒に注出栓の内側に吸引されてしまうことがある。そして、最終的に注出栓の奥側或いは外層体と内層体との相互間まで流れてしまうと、簡単には蒸発し難くなるため、雑菌等が繁殖してしまうおそれが懸念される。
【０００５】
また、このような二重容器では、外層体の復元に伴って外気導入孔から空気を取り込む必要がある一方で、外層体を押圧する際は、外層体と内層体の間の空気が外気導入孔から漏れ出さないようにする必要がある。このため、通常時は外気導入孔を閉鎖し、外層体と内層体の間が減圧状態となると開放する空気用逆止弁を設けることが一般的である。しかし近年は、コスト削減を図るべく、従来と同等の性能は維持しつつ、これまで必須とされてきた部材を省略する取り組みが進められており、空気用逆止弁に対しても同様の取り組みが求められていた。
【０００６】
本発明は、このような問題点を解決することを課題とするものであり、その目的は、外気導入孔から取り込まれた液体を、注出栓の奥側或いは外層体と内層体との相互間に流れにくくすることが可能であり、また、空気用逆止弁を省略しても、これまでと同等の性能を維持することが可能であってコスト削減を図ることができる、新たな二重容器を提案するところにある。
【課題を解決するための手段】
【０００７】
本発明は、口部周壁に貫通孔を有するとともに容器の外殻を形成する外層体と、
内容物の充填空間に通じる上部開口を有するとともに該外層体の内側に収められ該貫通孔から該外層体との相互間に導入される空気により減容変形する内層体と、
該上部開口を覆う天壁に該充填空間につながる注出開口を有するとともに、該天壁の縁部から起立する内周壁を備える中栓と、
該注出開口を閉鎖する一方、該外層体への押圧に伴う該充填空間への加圧にて該注出開口が開放する内容物用逆止弁と、
該口部周壁に係合保持されるとともに該口部周壁及び該内周壁との相互間で該貫通孔に連通する通気路を形成する外周壁を有し、該外周壁に連結する頂壁に、該注出開口からの内容物を注出する注出筒、及び該通気路に通じる外気導入孔を備える注出栓と、を備える二重容器であって、
前記内容物用逆止弁は、前記注出筒と前記外気導入孔との間に設けられるとともに、前記天壁と前記頂壁との間に延在して前記内周壁との相互間に該外気導入孔に通じる内部空間を区画する環状壁を有し、
前記中栓は、前記内周壁の上面と前記頂壁の下面との相互間に前記内部空間と前記通気路とをつなぐ接続路を有し、
該通気路及び接続路の少なくとも一方に、空気の流れを制限する絞りを設けた二重容器である。
【０００８】
前記絞りは、前記内周壁の外周面及び前記外周壁の内周面の少なくとも一方に設けた細溝とすることができる。
【０００９】
前記絞りは、前記内周壁の上面及び前記頂壁の下面の少なくとも一方に設けた細溝とすることができる。
【００１０】
前記内周壁及び前記外周壁の一方は、他方に向けて突出する螺旋状の凸部を有することが好ましい。
【００１１】
前記注出栓は、前記外気導入孔と前記内周壁との間において前記頂壁の下面から突出する突起を有することが好ましい。
【００１２】
前記中栓は、前記充填空間に向けて延在する筒状壁を有するとともに、該筒状壁内を外層体の姿勢変更に応じて移動する球状体を有することが好ましい。
【００１３】
また、本発明は、口部周壁に貫通孔を有するとともに容器の外殻を形成する外層体と、
内容物の充填空間に通じる上部開口を有するとともに該外層体の内側に収められ該貫通孔から該外層体との相互間に導入される空気により減容変形する内層体と、
該上部開口を覆う天壁から前記充填空間に向けて垂下するとともに該充填空間につながる注出開口を形成する筒体、該筒体内に移動可能に設けられ該筒体の下部に当接して該充填空間を閉鎖する球状体、及び該天壁の縁部から起立する内周壁を備える中栓と、
該口部周壁に係合保持されるとともに該口部周壁及び該内周壁との相互間で該貫通孔に連通する通気路を形成する外周壁を有し、該外周壁に連結する頂壁に、該注出開口からの内容物を注出する注出筒、及び該通気路に通じる外気導入孔を備える注出栓と、を備える二重容器であって、
前記中栓は、前記注出筒と前記外気導入孔との間で、前記天壁から起立して前記頂壁に嵌合し、前記内周壁との相互間に該外気導入孔に通じる内部空間を区画する筒壁を有するとともに、
前記内周壁の上面と前記頂壁の下面との相互間に前記内部空間と前記通気路とをつなぐ接続路を有し、
該通気路及び接続路の少なくとも一方に、空気の流れを制限する絞りを設けた二重容器である。
【００１４】
前記注出栓は、前記頂壁の下面から前記筒体の内側に向けて突出し、前記球状体の前記天壁側へ移動を制限する移動制限部を有することが好ましい。
【発明の効果】
【００１５】
本発明の二重容器は、内容物用逆止弁に設けた環状壁と中栓に設けた内周壁との相互間に、外気導入孔に通じる内部空間を区画し、この内部空間と通気路（外層体の口部周壁に設けた貫通孔につながっている）とをつなぐ接続路が、内周壁の上面と、注出栓の頂壁の下面の相互間に設けられている。すなわち、外気導入孔から液体が吸引されても、内部空間に一旦取り込んで溜めることができる上、接続路は内部空間の上方に位置しているので、注出栓の奥側或いは外層体と内層体との相互間への液体の浸入が有効に防止される。
【００１６】
また、通気路及び接続路の少なくとも一方に、空気の流れを制限する絞りを設けているので、外層体と内層体との間の空気は、外層体を押圧しても容器内である程度保持され、空気用逆止弁無しでも内容物を注出することができる。ここで絞りは、内周壁の外周面及び外周壁の内周面の少なくとも一方に設けた細溝、又は内周壁の上面及び頂壁の下面の少なくとも一方に設けた細溝で構成することができる。
【００１７】
内周壁及び外周壁の一方に、他方に向けて突出する螺旋状の凸部を設ける場合は、通気路の延在長さをより長くすることができるので、外層体と内層体との間の空気が、外気導入孔からより漏れ出しにくくなる。
【００１８】
注出栓に、外気導入孔と内周壁との間において、頂壁の下面から突出する突起を設ける場合は、外気導入孔から吸引された液体が、接続路に直接流れ込むことを防止できるので、注出栓の奥側或いは外層体と内層体との相互間への液体の浸入を、より確実に防ぐことができる。
【００１９】
中栓に、充填空間に向けて延在する筒状壁を設けるとともに、筒状壁内を外層体の姿勢変更に応じて移動する球状体を設ける場合は、外層体を傾けて内容物を注出した後、外層体を元の起立姿勢に戻せば、球状体が充填空間に向けて移動することで、注出筒内の内容物を引き戻す（サクションバック）ことができるので、注出筒からの液だれが防止でき、使い勝手が良くなる。
【図面の簡単な説明】
【００２０】
【図１】本発明に従う二重容器の第１実施形態を示す断面図である。
【図２】図１に示す二重容器の部分拡大断面図である。
【図３】（ａ）は、本発明に従う二重容器の第２実施形態を示す断面図であり、（ｂ）は図３（ａ）のＣ−Ｃ断面図である。
【図４】（ａ）は、本発明に従う二重容器の第３実施形態を示す断面図であり、（ｂ）は図４（ａ）のＤ−Ｄ断面図である。
【発明を実施するための形態】
【００２１】
以下、図面を参照して、本発明をより具体的に説明する。
図１は、本発明に従う二重容器の第１実施形態を示す断面図であって、図２は、図１に示す二重容器の部分拡大断面図である。
【００２２】
図１において、符号１は、本発明の二重容器の第１実施形態を示す。二重容器１は、容器の外殻を形成する外層体１０と、外層体１０の内側に収められる内層体２０とを備えていて、その上部に中栓３０、内容物用逆止弁４０、注出栓５０、及び蓋体６０とを備えている。
【００２３】
本実施形態における二重容器１は、合成樹脂製の外層体１０と、外層体１０に対して相溶性が低い合成樹脂にて形成される内層体２０とを積層させたものであり、これらの合成樹脂素材を積層して形成したパリソンを、ブロー成形することによって得られたものである。また、図示は省略するが、外層体１０と内層体２０との間に、縦方向に延在して外層体１０と内層体２０とを部分的に接合する、１本或いは複数本の接着帯を設けてもよい。
【００２４】
外層体１０は、円筒状の口部周壁１１に、復元自在な可撓性を有する胴部１２を連結するとともに、図示を省略した底部を胴部１２に連結したものである。口部周壁１１の外周面には雄ねじ部１３を設けている。また、口部周壁１１には、貫通孔１４を設けていて、更に、貫通孔１４を設けた外周面には、上下方向に雄ねじ部１３を切り欠く溝部１５を設けている。
【００２５】
内層体２０は、その内側に内容物を充填可能とする充填空間Ｓを形成するとともに、充填空間Ｓに通じる上部開口２１を有するものであり、積層された外層体１０から剥離させることで減容変形させることができる。
【００２６】
中栓３０は、内層体２０の上部開口２１を覆う天壁３１を有している。本実施形態では天壁３１に、充填空間Ｓに向けて延在する円筒状の筒状壁３２（充填空間Ｓ側の端部は充填空間Ｓに向けて縮径している）を設けていて、筒状壁３２内には、外層体１０の姿勢変更に応じてそれ自身の自重で移動する球状体Ｂを設けている。天壁３１には、筒状壁３２に隣接して上向き凸状となる段部３３を設けていて、この段部３３に、表裏を貫通する注出開口３４を設けている。また天壁３１の上面には、筒状壁３２及び段部３３を取り囲むとともに、これらとの相互間に内容物用逆止弁４０を嵌合保持する環状の嵌合壁３５を設けている。更に、嵌合壁３５の径方向外側には、天壁３１の縁部から起立する円筒状の内周壁３６を設けている。そして、天壁３１の下面には、内層体２０を挟み込んで外層体１０と当接する環状のシール壁３７を設けている。
【００２７】
内周壁３６について、図２を参照しつつ詳細に説明すると、本実施形態において内周壁３６の外周面には、上下方向に延在する細溝３６ａが設けられている。また、内周壁３６の上面には、径方向に延在する細溝３６ｂ（細溝３６ａと同様の構成）が設けられている。
【００２８】
内容物用逆止弁４０は、その下部が、中栓３０の筒状壁３２、段部３３、及び嵌合壁３５に嵌合保持される環状壁４１を備えている。環状壁４１の径方向内側には、アーム４２を介して連結する板状の弁部４３を備えていて、弁部４３により注出開口３４を閉鎖している。また弁部４３は、筒状壁３２の上部開口の大部分も覆い隠しているが、その一部は常時開口している。本実施形態で内容物用逆止弁４０は、所謂３点弁の形態をなしているが、１点弁等、従前の他の形態の逆止弁を用いることができる。また、本実施形態で環状壁４１は円筒状であるが、角筒状でもよい。
【００２９】
注出栓５０は、口部周壁１１を取り囲む外周壁５１を連結していて、外周壁５１の内周面には、口部周壁１１の雄ねじ部１３に対応する雌ねじ部５２を設けている。また、外周壁５１の上部には、中栓３０及び内容物用逆止弁４０を覆い隠す頂壁５３を設けている。頂壁５３には、内容物用逆止弁４０の開放下にて充填空間Ｓ内の内容物を注出する注出筒５４を設けている。なお、注出筒５４は、頂壁５３の下方側にも延びていて、これにより弁部４３が過度に持ち上がった際のストッパーとしても機能している。また、頂壁５３の下面には、環状壁４１の上部を嵌合保持する同心二重配置となる一対の上部嵌合壁５５を設けている。更に、上部嵌合壁５５の径方向外側には、頂壁５３を貫通する外気導入孔５６を設けている。これにより、内周壁３６と環状壁４１との間には、天壁３１と頂壁５３とで挟まれるとともに外気導入孔５６が開口する内部空間Ｎが形成される。また、外気導入孔５６と内周壁３６との間において頂壁５３の下面には、内部空間Ｎに向けて突出する突起５７を設けている。
【００３０】
ここで、外周壁５１について、図２を参照しつつ詳細に説明すると、本実施形態において外周壁５１の内周面上方には、内周壁３６に向けて吐出する螺旋状の凸部５１ａを設けている。また、外周壁５１の内周面における細溝３６ａとの近傍域は、細溝３６ａを除いて内周壁３６の外周面と当接し、頂壁５３の下面における細溝３６ｂとの近傍域は、細溝３６ｂを除いて内周壁３６の上面と当接している。このように構成することで、貫通孔１４と外気導入孔５６の間には、空気が流れる通路として、溝部１５及び細溝３６ａを経て螺旋状の凸部５１ａを通る通気路Ｔ１と、細溝３６ｂにて構成される接続路Ｔ２と、接続路Ｔ２と外気導入孔５６とをつなぐ内部空間Ｎが形成される。なお、図示は省略するが、内周壁３６の外周面には、上下方向に延在する凸リブを設けていて、中栓３０を注出栓５０に組み込むと、この凸リブが螺旋状の凸部５１ａに食い込むようにしている。これにより、中栓３０は注出栓５０に対して回り止め保持される。
【００３１】
蓋体６０は、ヒンジ６１を介して注出栓５０の外周壁５１に連結していて、ヒンジ６１で折り曲げることで、注出筒５４及び外気導入孔５６を覆い隠すことができる。より詳細には、蓋体６０は、平板状の上壁６２と、上壁６２の縁部に連結するとともに外周壁５１に連なる形状となる蓋体周壁６３とを備えていて、上壁６２には、蓋体６０を閉めた際に注出筒５４の内側に入り込んで注出筒５４をシールする棒体６４を備えている。なお、蓋体６０は、ヒンジ６１を設けずに注出栓５０とは別体のものとし、ねじやアンダーカットで注出栓５０に装着するように構成してもよい。
【００３２】
上記のように構成される二重容器１から内容物を吐出するに当たっては、図１に示すように蓋体６０を開き、二重容器１を、起立姿勢から傾倒或いは倒立姿勢に姿勢変更する。これにより、筒状壁３２内の球状体Ｂは、自重にて、図１に破線で示す位置（注出筒５４側）に移動する。そして、外層体１０の胴部を押圧すると、内層体２０は、外層体１０と内層体２０との間の空気にて押圧されて充填空間Ｓが加圧される。これにより、加圧された内容物が弁部４３を持ち上げて、注出開口３４から内容物が流出し、注出筒５４から外界に注出される。ここで、貫通孔１４と外気導入孔５６の間は、通気路Ｔ１、接続路Ｔ２、内部空間Ｎにてつながっているため、常時開放された状態であるものの、細溝３６ａ及び細溝３６ｂの通路断面積（溝幅や溝深さ）は、通気路Ｔ１、接続路Ｔ２、及び内部空間Ｎの中で小さくなっていて絞りとして機能するため、外層体１０を押圧しても、外層体１０と内層体２０との間の空気はそれ程多く漏れ出すことはなく、内容物の注出機能は従来と同等に維持される。特に、本実施形態では、螺旋状の凸部を設けて通気路Ｔ１の延在長さを増しているので、空気の漏れ出しをより有効に阻止することができる。
【００３３】
所要量の内容物を注出した後は、外層体１０の胴部への押圧を解除すると、充填空間Ｓ内の圧力が下がり、これに伴って弁部４３が注出開口３４を閉鎖するので、充填空間Ｓ内への外気の入り込みが有効に防止される。また、外層体１０は、それ自身の復元力により元の形状に戻ろうとするため、外層体１０と内層体２０との相互間は負圧状態となり、これによって、外気導入孔５６から内部空間Ｎ、接続路Ｔ２、通気路Ｔ１を経て、貫通孔１４より空気が導入され、内層体２０を減容させたまま外層体１０が復元する。なお、細溝３６ａ及び細溝３６ｂによって空気は流れにくくなっているものの、外層体１０の材質、厚み、形状等によって復元力を調整できる上、細溝３６ａ及び細溝３６ｂの通路断面積（溝幅や溝深さ）を絞りの機能を維持しつつ適宜調整することで、空気用逆止弁による場合と同等の時間で外層体１０を復元させることができる。すなわち、本願発明によれば、細溝の幅や深さ等を変更することで所期する性能が発揮されるので、より複雑な構造となる空気用逆止弁を用いる場合よりも調節が容易となる上、従来用いていた空気用逆止弁も不要となるので、コストを減らすこともできる。
【００３４】
ここで、外気導入孔５６付近に液体が付着していると、空気と一緒に注出栓５０内に吸引されることがあるものの、吸引された液体は内部空間Ｎに一旦取り込まれることになり、また、接続路Ｔ２は、内部空間Ｎの上方に位置しているので、通気路Ｔ１への液体の流れ込みを有効に防止することができる。また、本実施形態では、頂壁５３の下面に突起５７を設けていて、突起５７が外気導入孔５６と接続路Ｔ２との間に入り込んだ状態になっているので、外気導入孔５６からの液体が直接的に接続路Ｔ２に流れ込むことが防止され、通気路Ｔ１への液体の流れ込みを、より確実に防ぐことができる。
【００３５】
なお、内容物の注出後、二重容器１を起立姿勢に戻せば、球状体Ｂは、自重にて充填空間Ｓ側に移動する。これにより、注出筒５４内に残った内容物を注出栓５０内に引き込むことができるので、注出筒５４からの液だれを防止することができる。
【００３６】
以下、本発明の他の実施形態について説明する。なお、先の第１実施形態と同一又は対応する構成については、同一の符号で表し、説明を省略する。
【００３７】
図３（ａ）は、本発明に従う二重容器の第２実施形態を示す断面図であり、図３（ｂ）は、図３（ａ）の二重容器１００におけるＣ−Ｃ断面図である。二重容器１００は、容器の外殻を形成する外層体１０と、外層体１０の内側に収められる内層体２０とを備え、その上部に中栓３０、注出栓５０、及び蓋体６０とを備えている。
【００３８】
外層体１０は、第１実施形態と同様に、口部周壁１１に、可撓性を有する胴部１２を連結するとともに、図示を省略した底部を胴部１２に連結したものであり、口部周壁１１の外周面には雄ねじ部１３を設けている。また、口部周壁１１には、貫通孔１４を設けるとともに、上下方向に雄ねじ部１３を切り欠く溝部１５を設けている。
【００３９】
内層体２０は、その内側に内容物を充填可能とする充填空間Ｓを形成するとともに、充填空間Ｓに通じる上部開口２１を有するものであり、積層された外層体１０から剥離させることで減容変形させることができる。
【００４０】
本実施形態の中栓３０は、内層体２０の上部開口２１を覆う天壁３１に、充填空間Ｓに向けて垂下するとともに当該充填空間Ｓにつながる注出開口１３４を形成する円筒状の筒体１３２（充填空間Ｓ側の端部は充填空間Ｓに向けて縮径している）を設けており、当該筒体１３２の内部に球状体Ｂを移動可能に設けている。球状体Ｂは、筒体１３２の下部に当接して該充填空間Ｓを閉鎖する。筒体１３２の内周面上部には、軸線方向に延びる溝１３３が周方向に３箇所均等に形成されており、筒体１３２の上端部内周面には、球状体Ｂの抜け出しを防止する凸部１３５が、溝１３３に挟まれるように周方向に３箇所設けられている。ここで、筒体１３２の球状体Ｂは、所謂ボール弁を構成し、充填空間Ｓへ外気が流入するのを阻止するとともに、注出後に、後述する注出筒５４付近の内容物を引き込んで注出筒５４からの液垂れを防止することができる。
【００４１】
また、本実施形態の中栓３０は、天壁３１の縁部から起立する円筒状の内周壁３６、及び内周壁３６の内側で天壁３１から起立する筒壁１４１を有する。そして、天壁３１の下面には、内層体２０を挟み込んで外層体１０と当接する環状のシール壁３７を設けている。また、本実施形態の内周壁３６の外周面には、第１実施形態と同様に、上下方向に延在する細溝３６ａが設けられており、内周壁３６の上面には、径方向に延在する細溝３６ｂ（細溝３６ａと同様の構成）が設けられている。
【００４２】
注出栓５０は、外周壁５１及び頂壁５３を有し、頂壁５３には、注出開口１３４の開放下にて充填空間Ｓ内の内容物を注出する注出筒５４を設けている。また、頂壁５３の下面には、筒壁１４１の上部を嵌合保持する同心二重配置となる一対の上部嵌合壁５５を設けるとともに、上部嵌合壁５５の径方向外側に、頂壁５３を貫通する外気導入孔５６を設けている。これにより、内周壁３６と筒壁１４１との間には、天壁３１と頂壁５３とで挟まれるとともに外気導入孔５６が開口する内部空間Ｎが形成される。また、外気導入孔５６と内周壁３６との間において頂壁５３の下面には、内部空間Ｎに向けて突出する突起５７を設けている。
【００４３】
また、本実施形態の頂壁５３の下面には、筒体１３２の内側に向けて突出し、球状体Ｂの天壁３１側へ移動を制限する移動制限部としての突起部１５８が３本設けられている。本実施形態において、突起部１５８は、先端が内側に屈曲する薄板形状であり、３本の突起部１５８は筒体１３２の内周面から等距離に配置されている。
【００４４】
外周壁５１の内周面上方には、第１実施形態と同様に、内周壁３６に向けて吐出する螺旋状の凸部５１ａを設けており、貫通孔１４と外気導入孔５６の間には、空気が流れる通路として、溝部１５及び細溝３６ａを経て螺旋状の凸部５１ａを通る通気路Ｔ１と、細溝３６ｂにて構成される接続路Ｔ２と、接続路Ｔ２と外気導入孔５６とをつなぐ内部空間Ｎが形成される。第１実施形態と同様に、中栓３０は内周壁３６の外周面に設けた凸リブにより注出栓５０に対して回り止め保持される。
【００４５】
蓋体６０は、第１実施形態と同様に、ヒンジ６１を介して注出栓５０の外周壁５１に連結していて、注出筒５４及び外気導入孔５６を覆い隠すことができる。蓋体６０は、ヒンジ６１を設けずに注出栓５０とは別体のものとし、ねじやアンダーカットで注出栓５０に装着するように構成してもよい。
【００４６】
上記のように構成される二重容器１００から内容物を吐出するに当たっては、蓋体６０を開き、二重容器１００を起立姿勢から傾倒或いは倒立姿勢に姿勢変更するとともに外層体１０の胴部１２を押圧すると、充填空間Ｓが加圧される。これにより、加圧された内容物が球状体Ｂを持ち上げて、球状体Ｂは突起部１５８に接触する。ここで突起部１５８は、可撓性を有するため、球状体Ｂに押圧されて撓み変形（弾性変形）する。球状体Ｂが突起部１５８を撓み変形させながら、溝１３３の下端よりも上方に移動すると充填空間Ｓが開放され、内容物が注出開口１３４及び注出筒５４を通って外界に注出される。ここで、本実施形態では、細溝３６ａの通路断面積（溝幅や溝深さ）が細溝３６ｂよりも小さくなっていて、細溝３６ａが絞りとして機能するため、外層体１０を押圧しても、外層体１０と内層体２０との間の空気はそれ程多く漏れ出すことはなく、内容物の注出機能は従来と同等に維持される。なお、本実施形態の二重容器１００においても、細溝３６ｂの通路断面積を小さくして、細溝３６ｂを絞りとして機能させることも可能である。
【００４７】
所要量の内容物を注出した後は、外層体１０の胴部への押圧を解除すると、充填空間Ｓ内の圧力が下がり、これに伴って球状体Ｂが下方に移動して注出開口１３４を閉鎖するので、充填空間Ｓ内への外気の入り込みが有効に防止される。また、本実施形態においては、移動制限部を可撓性の突起部１５８で形成したことで、撓み変形した突起部１５８の反発力を受けて、球状体Ｂは、より確実に、また、素早く下方に移動して注出開口１３４を閉鎖する。これにより、充填空間Ｓ内への外気の入り込みがより確実に防止される。また、球状体Ｂが筒体１３２内を下方（充填空間Ｓ側）に移動することで、注出筒５４内に残った内容物を注出栓５０の内部に引き込むことができるので、注出筒５４からの液だれを防止することができる。さらに、本実施形態では、中栓３０にボール弁となる構成を設けたことにより、逆支弁を別部材として形成する必要がなく、部品数を低減することができる。
【００４８】
ここで、図４（ａ）、（ｂ）は、本発明の第３実施形態としての二重容器２００を示しており、第２実施形態の二重容器１００と移動制限部の構成のみが異なるものである。第２実施形態では、移動制限部を、可撓性を有する３本の突起部１５８で構成していたが、本実施形態では、移動制限部を、部分的に切り欠かれた円筒形状の突出部２５８で構成している。突出部２５８は、第２実施形態の二重容器１００における突起部１５８に比べて剛性が高く、また、頂壁５３から下端までの長さが小さく設定されている。内容物を注出する際には、突出部２５８は撓み変形することなく球状体Ｂの上方への移動を制限することができる。
【００４９】
本発明に従う二重容器は、上述の実施形態に限定されるものではなく、特許請求の範囲に従う範囲で種々の変更が可能である。例えば、上述の実施形態では外層体１０に設けた溝部１５を通じて空気を貫通孔１４に導入するようにしたが、この溝部１５を設けずに、雄ねじ部１３と雌ねじ部５２との隙間を通して空気を導入するようにしてもよい。また、上述の実施形態では、２つの細溝３６ａ、３６ｂを設けたが、何れか一方であってもよい。また、細溝３６ａに代えて、通気路Ｔ１を構成する別の部位の通路断面積を狭くしてもよい。また細溝３６ａ、３６ｂは、内周壁３６に設けたが、外周壁５１に設けてもよく、また二つ割りにしてこれらの両方で構成してもよい。また螺旋状の凸部５１ａは、外周壁５１に設けたが、内周壁３６に設けても、また両方に設けてもよい。また、外層体及び内層体は、積層構造のパリソンをブロー成形することによって形成されるものに限られず、外層体及び内層体を個別に形成し、その後、内層体を外層体内に装着するようにしたものでもよい。
【産業上の利用可能性】
【００５０】
本発明によれば、外気導入孔から取り込まれた液体が、注出栓の奥側或いは外層体と内層体との相互間に流れにくくなり、また、コスト削減も図ることができる、新規の二重容器を提供することが可能となる。
【符号の説明】
【００５１】
１  二重容器
１０  外層体
１１  口部周壁
１２  胴部
１３  雄ねじ部
１４  貫通孔
１５  溝部
２０  内層体
２１  上部開口
３０  中栓
３１  天壁
３２  筒状壁
３３  段部
３４  注出開口
３５  嵌合壁
３６  内周壁
３６ａ  細溝（絞り）
３６ｂ  細溝（絞り）
３７  シール壁
４０  内容物用逆止弁
４１  環状壁
４２  アーム
４３  弁部
５０  注出栓
５１  外周壁
５１ａ  螺旋状の凸部
５２  雌ねじ部
５３  頂壁
５４  注出筒
５５  上部嵌合壁
５６  外気導入孔
５７  突起
６０  蓋体
６１  ヒンジ
６２  上壁
６３  蓋体周壁
６４  棒体
１３２  筒体
１３３  溝
１３５  凸部
１４１  筒壁
１５８  突起部（移動制限部）
２５８  突出部（移動制限部）
Ｂ    球状体
Ｎ    内部空間
Ｓ    充填空間
Ｔ１  通気路
Ｔ２  接続路
【図１】
2015027885.tif 000003
【図２】
2015027885.tif 000004
【図３】
2015027885.tif 000005
【図４】
2015027885.tif 000006